(57)【要約】【課題】回路構成の簡素化、消費電力の低減及び小型化を可能にした回路遮断器を提供する。【解決手段】変流器ＣＴ１〜ＣＴ３と、全波整流回路１１と、その出力端子間に接続されたスイッチング素子Ｓ２及び電流検出抵抗Ｒ３の直列回路と、この直列回路の両端に接続されたスイッチング素子Ｓ１、逆流防止用ダイオードＤ及び平滑コンデンサＣの直列回路と、平滑コンデンサＣの両端に接続された抵抗Ｒ４，Ｒ５による分圧回路と、平滑コンデンサＣの端子電圧によって電源電圧が供給される演算処理部２１と、を備える。演算処理部２１は、電流検出抵抗Ｒ３の端子電圧から演算した負荷の熱データがトリップレベルを越えたときに引き外し信号を出力し、かつ、前記抵抗分圧回路により検出した平滑コンデンサＣの端子電圧Ｖｐが所定値になるようにスイッチング素子Ｓ１，Ｓ２のオン、オフを制御する。【選択図】　図１
2004022259.tif 000002
【特許請求の範囲】
【請求項１】
電路の過電流を検出して引き外し信号を生成し、この引き外し信号を用いて開閉接点を開放することにより電路を保護する回路遮断器において、
電路の電流を検出する変流器と、
この変流器の出力を全波整流する全波整流回路と、
この全波整流回路の出力端子間に接続された第２のスイッチング素子及び電流検出抵抗の直列回路と、
この直列回路の両端に接続された第１のスイッチング素子、逆流防止用ダイオード及び平滑コンデンサの直列回路と、
前記平滑コンデンサの両端に接続された抵抗分圧回路と、
前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記抵抗分圧回路を介して検出した前記平滑コンデンサの端子電圧が所定値になるように、第１，第２のスイッチング素子のオン、オフを制御することを特徴とする回路遮断器。
【請求項２】
電路の過電流を検出して引き外し信号を生成し、この引き外し信号を用いて開閉接点を開放することにより電路を保護する回路遮断器において、
電路の電流を検出する変流器と、
この変流器の出力を全波整流する全波整流回路と、
この全波整流回路の出力端子間に接続された電流検出抵抗と、
前記全波整流回路の出力端子間に接続されたスイッチング素子、逆流防止用ダイオード及び平滑コンデンサの直列回路と、
前記平滑コンデンサの両端に接続された抵抗分圧回路と、
前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記抵抗分圧回路を介して検出した前記平滑コンデンサの端子電圧が所定値になるように、前記スイッチング素子のオン、オフを制御することを特徴とする回路遮断器。
【請求項３】
電路の過電流を検出して引き外し信号を生成し、この引き外し信号を用いて開閉接点を開放することにより電路を保護する回路遮断器において、
電路の電流を検出する変流器と、
この変流器の出力を全波整流する全波整流回路と、
この全波整流回路の出力端子間に接続された電流検出抵抗と、
前記全波整流回路の出力端子間に接続されたスイッチング素子、チョークコイル及び平滑コンデンサの直列回路と、
前記チョークコイル及び平滑コンデンサの直列回路の両端に接続されたフライホイーリングダイオードと、
前記平滑コンデンサの両端に接続された抵抗分圧回路と、
前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記抵抗分圧回路を介して検出した前記平滑コンデンサの端子電圧が所定値になるように、前記スイッチング素子のオン、オフを制御することを特徴とする回路遮断器。
【請求項４】
電路の過電流を検出して引き外し信号を生成し、この引き外し信号を用いて開閉接点を開放することにより電路を保護する回路遮断器において、
電路の電流を検出する変流器と、
この変流器の出力を全波整流する全波整流回路と、
この全波整流回路の出力端子間に接続された電流検出抵抗と、
前記全波整流回路の出力端子間に接続されたスイッチング素子、チョークコイル、及びコンデンサ分圧回路からなる平滑コンデンサの直列回路と、
前記チョークコイル及び平滑コンデンサの直列回路の両端に接続されたフライホイーリングダイオードと、
前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記コンデンサ分圧回路を介して検出した前記平滑コンデンサの端子電圧が所定値になるように、前記スイッチング素子のオン、オフを制御することを特徴とする回路遮断器。
【発明の詳細な説明】
【０００１】
【発明の属する技術分野】
この発明は、電路を保護するために用いられる釈放型の引き外し装置を備えた電子式回路遮断器に関する。
【０００２】
【従来の技術】
図６は、特開平８−３３１７４８号公報に記載された回路遮断器を要約して示した回路図であり、この回路遮断器は、三相電路３０からの検出電流の一部を制御回路の作動電源に利用することによって消費電力の低減を図ったものである。
【０００３】
すなわちこの回路遮断器は、三相電路３０の負荷電流を検出する変流器ＣＴ１，ＣＴ２，ＣＴ３と、これらの変流器ＣＴ１，ＣＴ２，ＣＴ３の出力を全波整流する全波整流回路１１と、この全波整流回路１１の出力側に直列接続された電流制限用の抵抗Ｒ１及びツェナーダイオードＺＤと、ツェナーダイオードＺＤの両端に接続された半導体素子からなる第２のスイッチング素子Ｓ２と抵抗Ｒ２，Ｒ３との直列回路と、これらの直列回路の両端に接続された半導体素子からなる第１のスイッチング素子Ｓ１と逆流防止用ダイオードＤ及び平滑コンデンサＣの直列回路と、平滑コンデンサＣの両端に接続された分圧抵抗Ｒ４，Ｒ５の直列回路と、抵抗Ｒ４，Ｒ５による電圧分圧値が入力されて第１，第２のスイッチング素子Ｓ１，Ｓ２をオン、オフするためのスイッチング信号生成回路１２と、前記抵抗Ｒ２，Ｒ３の相互接続点及びスイッチング信号生成回路１２に接続された瞬時引き外し回路１３と、その出力が加えられる引き外し回路（時限引き外し回路）１４と、その出力である引き外し信号が加えられるトリップユニット１５と、その出力が加えられる開閉機構１６と、開閉機構１６により制御される三相電路３０の開閉接点３１とから構成されている。
【０００４】
なお、上記構成において、ツェナーダイオードＺＤは第２のスイッチング素子Ｓ２を過電圧から保護するために設けられており、抵抗Ｒ３は電流検出抵抗として機能している。
また、スイッチング信号生成回路１２、瞬時引き外し回路１３、引き外し回路１４は制御回路を構成しており、これらの各回路１２〜１４の電源電圧は平滑コンデンサＣの電圧Ｖｐによって供給されている。更に、瞬時引き外し回路１３は、変流器ＣＴ１，ＣＴ２，ＣＴ３によって検出される三相各相の合成電流に比例する電流検出抵抗Ｒ３の端子電圧を監視してこの電圧がトリップレベルを越えたときに引き外し信号を発生し、引き外し回路１４は三相各相の相電流に比例する電圧を相電流検出抵抗（図示せず）により監視し、トリップレベル及び時限を越えたときに引き外し信号を発生する。
【０００５】
また、第１，第２のスイッチング素子Ｓ１，Ｓ２は、スイッチング信号生成回路１２によって互いにコンプリメンタリ（一方がオンのとき他方はオフ）に動作するものであり、スイッチング信号生成回路１２は、抵抗Ｒ４，Ｒ５の分圧値により検出した平滑コンデンサＣの電圧Ｖｐが所定値になるようにスイッチング素子Ｓ１，Ｓ２のオン、オフを制御する。
【０００６】
通常動作時において、第２のスイッチング素子Ｓ２をオンすると、全波整流回路１１の出力側に電流検出抵抗Ｒ３が接続され、三相電路３０の負荷電流に比例した電圧が検出されるため、この電圧を瞬時引き外し回路１３に取り込んで前述の如く必要に応じて引き外し（トリップ）動作を行う。このとき、第１のスイッチング素子Ｓ１はオフしている。
また、第２のスイッチング素子Ｓ２をオフすると第１のスイッチング素子Ｓ１がオンし、これらのオン、オフ切換直前の電流をスイッチング素子Ｓ１からダイオードＤを介し平滑コンデンサＣに供給することでコンデンサＣが充電される。ここで、スイッチング素子Ｓ１，Ｓ２、ダイオードＤ、平滑コンデンサＣ等は、平滑コンデンサＣの電圧を全波整流回路１１の出力電圧よりも高くする昇圧チョッパとして動作している。
【０００７】
このように、スイッチング信号生成回路１２が各スイッチング素子Ｓ１，Ｓ２のオン、オフデューティ比を変えることで平滑コンデンサＣの電圧Ｖｐを制御することができ、制御回路の電源電圧を所定値に保つことが可能である。
また、全波整流回路１１の出力電圧が過大になった場合には、第２のスイッチング素子Ｓ２をオンすると共に第１のスイッチング素子Ｓ１をオフすることにより、平滑コンデンサＣの電圧Ｖｐが所定値以上に高くなるのを未然に防止している。
【０００８】
【発明が解決しようとする課題】
上述した従来技術では、各スイッチング素子Ｓ１，Ｓ２の制御を専用に行うためのスイッチング信号生成回路１２が必要である。このため、回路規模が大きくなってコスト上昇の一因になると共に、回路全体での消費電力が大きいことから電流を取り込むための変流器ＣＴ１〜ＣＴ３が大型化する等の問題があった。
そこで本発明は、回路構成の簡素化、消費電力の低減及び小型化を可能にした回路遮断器を提供しようとするものである。
【０００９】
【課題を解決するための手段】
上記課題を解決するため、請求項１記載の発明は、電路の過電流を検出して引き外し信号を生成し、この引き外し信号を用いて開閉接点を開放することにより電路を保護する回路遮断器において、
電路の電流を検出する変流器と、この変流器の出力を全波整流する全波整流回路と、この全波整流回路の出力端子間に接続された第２のスイッチング素子及び電流検出抵抗の直列回路と、この直列回路の両端に接続された第１のスイッチング素子、逆流防止用ダイオード及び平滑コンデンサの直列回路と、前記平滑コンデンサの両端に接続された抵抗分圧回路と、前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記抵抗分圧回路を介して検出した前記平滑コンデンサの端子電圧が所定値になるように、第１，第２のスイッチング素子のオン、オフを制御するものである。
【００１０】
請求項２記載の発明は、電路の電流を検出する変流器と、この変流器の出力を全波整流する全波整流回路と、この全波整流回路の出力端子間に接続された電流検出抵抗と、前記全波整流回路の出力端子間に接続されたスイッチング素子、逆流防止用ダイオード及び平滑コンデンサの直列回路と、前記平滑コンデンサの両端に接続された抵抗分圧回路と、前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記抵抗分圧回路を介して検出した前記平滑コンデンサの端子電圧が所定値になるように、前記スイッチング素子のオン、オフを制御するものである。
【００１１】
請求項３記載の発明は、電路の電流を検出する変流器と、この変流器の出力を全波整流する全波整流回路と、この全波整流回路の出力端子間に接続された電流検出抵抗と、前記全波整流回路の出力端子間に接続されたスイッチング素子、チョークコイル及び平滑コンデンサの直列回路と、前記チョークコイル及び平滑コンデンサの直列回路の両端に接続されたフライホイーリングダイオードと、前記平滑コンデンサの両端に接続された抵抗分圧回路と、前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記抵抗分圧回路を介して検出した前記平滑コンデンサの端子電圧が所定値になるように、前記スイッチング素子のオン、オフを制御するものである。
【００１２】
請求項４記載の発明は、電路の電流を検出する変流器と、この変流器の出力を全波整流する全波整流回路と、この全波整流回路の出力端子間に接続された電流検出抵抗と、前記全波整流回路の出力端子間に接続されたスイッチング素子、チョークコイル、及びコンデンサ分圧回路からなる平滑コンデンサの直列回路と、前記チョークコイル及び平滑コンデンサの直列回路の両端に接続されたフライホイーリングダイオードと、前記平滑コンデンサの端子電圧によって電源電圧が供給される演算処理部と、を備え、
前記演算処理部は、
前記電流検出抵抗の端子電圧に基づいて演算した負荷の熱データがトリップレベルを越えたときに前記引き外し信号を出力し、かつ、前記コンデンサ分圧回路を介して検出した前記平滑コンデンサの端子電圧が所定値になるように、前記スイッチング素子のオン、オフを制御するものである。
【００１３】
【発明の実施の形態】
以下、図に沿って本発明の実施形態を説明する。図１は本発明の第１実施形態を示す回路図であり、図６と同一の構成要素には同一の参照符号を付して詳述を省略し、以下では異なる部分を中心に説明する。
【００１４】
図１に示す第１実施形態では、Ａ／Ｄ変換部２２の他にＣＰＵやメモリ（何れも図示せず）等を備えたワンチップマイコン等からなる演算処理部２１が設けられており、電流検出抵抗Ｒ３の端子電圧がＡ／Ｄ変換部２２に入力されると共に、分圧抵抗Ｒ４，Ｒ５による平滑コンデンサＣの電圧Ｖｐの分圧値もＡ／Ｄ変換部２２に入力されている。その他、演算処理部２１から出力される引き外し信号が引き外し回路１４に直接入力されている。また、第１，第２のスイッチング素子Ｓ１，Ｓ２のオン、オフは、演算処理部２１の出力信号によって制御可能となっている。
【００１５】
他の構成は図６と同様であり、平滑コンデンサＣの電圧Ｖｐは演算処理部２１の電源電圧となっている。また、必要に応じて引き外し回路１４の電源電圧も前記電圧Ｖｐによって供給しても良い。
【００１６】
この実施形態においても、第１，第２のスイッチング素子Ｓ１，Ｓ２は互いにコンプリメンタリに動作する。つまり、演算処理部２１は、抵抗Ｒ４，Ｒ５の分圧値をＡ／Ｄ変換して検出した平滑コンデンサＣの電圧Ｖｐが所定値になるようにスイッチング素子Ｓ１，Ｓ２のオン、オフを制御する。また、演算処理部２１は、第２のスイッチング素子Ｓ２のオン時に電流検出抵抗Ｒ３の端子電圧をＡ／Ｄ変換して取り込み、三相電路３０の負荷電流を検出すると共に、この負荷電流から公知の演算式を用いて三相電路３０側の負荷の熱データを演算し、この熱データが予め設定されたトリップレベルを越えたことを判定して引き外し信号を出力する。その結果、最終的に開閉接点３１を開放するトリップ動作が実行される。
【００１７】
すなわち本実施形態では、電流検出抵抗Ｒ３の端子電圧及び分圧抵抗Ｒ４，Ｒ５による分圧値を図６のように瞬時引き外し回路１３とスイッチング信号発生回路１２とに分けて取り込むのではなく、Ａ／Ｄ変換部２２を介して演算処理部２１に取り込むと共に、この演算処理部２１により、負荷側の過電流時の引き外し信号の出力と、平滑コンデンサＣの電圧（電源電圧）Ｖｐを所定値に保つためのスイッチング素子Ｓ１，Ｓ２のオン、オフ制御とを一括して行っている。
言い換えれば、演算処理部２１は、従来のスイッチング信号発生回路１２のようにスイッチング素子Ｓ１，Ｓ２のオン、オフ制御のためだけに機能しているのではなく、瞬時引き外し回路１３の機能も併せ持っている。
【００１８】
このため、前述の如く演算処理部２１をワンチップマイコン等によって構成可能であることとも相まって、回路遮断器全体の回路構成の簡素化、部品数の減少、小型化が可能であり、消費電力の低減による変流器ＣＴ１〜ＣＴ３の小型化も可能である。
【００１９】
次に、図２は本発明の第２実施形態を示す回路図である。図１の実施形態との相違点は、図１における第２のスイッチング素子Ｓ２を除去して抵抗Ｒ２，Ｒ３の直列回路をツェナーダイオードＺＤの両端に常時接続したものである。この実施形態では、演算処理部２１によって第１のスイッチング素子Ｓ１のオン、オフ制御と引き外し信号の生成処理が実行される。
【００２０】
本実施形態の動作を、図５を参照しつつ以下に説明する。
まず、演算処理部２１は、スイッチング素子Ｓ１がオフしている時に電流検出抵抗Ｒ３の端子電圧をＡ／Ｄ変換して読み込む（Ｓ１〜Ｓ３）。ここで、読み込んだＡ／Ｄ変換値は三相各相の合成負荷電流Ｉａｂｓに相当する信号である。
【００２１】
次に、演算処理部２１は、抵抗Ｒ４，Ｒ５の分圧値をＡ／Ｄ変換し、平滑コンデンサＣの電圧（電源電圧）Ｖｐとして読み込む（Ｓ４，Ｓ５）。
そして、この電圧Ｖｐが基準値Ｖｒｅｆより低ければスイッチング素子Ｓ１をオンして電圧Ｖｐを高くする方向に動作させ、基準値Ｖｒｅｆより高ければスイッチング素子Ｓ１をオフして電圧Ｖｐの上昇を抑制する方向に動作させる（Ｓ６，Ｓ７１，Ｓ７２）。これにより、平滑コンデンサＣの電圧Ｖｐが所定値に保って演算処理部２１等の電源電圧を適正な値に維持することができる。
【００２２】
その後、ステップＳ３で求めたＡ／Ｄ変換値Ｉａｂｓから三相電路３０の負荷の熱データを演算し（Ｓ８）、その熱データが予め設定されたトリップレベルＴＨに達していなければ引き外し信号をオフとし、トリップレベルＴＨを越えていれば引き外し信号をオンとしてトリップ動作を行わせる（Ｓ９，Ｓ１０１，Ｓ１０２）。これにより、三相電路３０及び負荷を過電流から保護することができる。
【００２３】
この実施形態でも、演算処理部２１が、負荷側の過電流時の引き外し信号の出力と平滑コンデンサＣの電圧Ｖｐを所定値に保つためのスイッチング素子Ｓ１のオン、オフ制御とを一括して行っていると共に、スイッチング素子が１個で済むため、図１の実施形態よりも更に回路構成の簡素化、小型化、消費電力の低減を達成することができる。
【００２４】
図３は、本発明の第３実施形態を示す回路図である。この実施形態では、全波整流回路１１の出力端子間に、抵抗Ｒ２，Ｒ３の直列回路と、スイッチング素子Ｓ１及びフライホイーリングダイオードＤＦの直列回路とが互いに並列に接続されている。また、フライホイーリングダイオードＤＦの両端にはチョークコイルＬと平滑コンデンサＣとの直列回路が接続され、平滑コンデンサＣの両端には分圧抵抗Ｒ４，Ｒ５の直列回路が接続されている。
図１，図２と同様に、電流検出抵抗Ｒ３の端子電圧と分圧抵抗Ｒ４，Ｒ５による電圧分圧値とは、演算処理部２１のＡ／Ｄ変換部２２に入力されており、平滑コンデンサＣの電圧Ｖｐが演算処理部２１の電源電圧となっている。
【００２５】
本実施形態においては、スイッチング素子Ｓ１、フライホイーリングダイオードＤＦ、チョークコイルＬ、平滑コンデンサＣ等が降圧チョッパを構成している。そして、演算処理部２１によるスイッチング素子Ｓ１のオン、オフにより、全波整流回路１１の出力電圧のα倍（αはスイッチング素子Ｓ１のオンデューティ比であり、α＜１）の電圧がＶｐとして得られ、この電圧Ｖｐが演算処理部２１に供給されることになる。
また、降圧チョッパの出力電流（チョークコイルＬを流れる電流）はチョッパの入力電流（全波整流回路１１の出力電流）よりも増加する（前者は後者の１／α倍となり、α＜１である）ため、相対的に変流器ＣＴ１〜ＣＴ３側の電流を少なくでき、変流器ＣＴ１〜ＣＴ３の小容量化、小型化が可能になる。
【００２６】
なお、この実施形態でも、演算処理部２１が電流検出抵抗Ｒ３の端子電圧を読み込んで負荷電流を検出し、その値から負荷の熱データを演算して熱データがトリップレベルを越えたときに引き外し信号を出力する。また、平滑コンデンサＣの電圧（電源電圧）Ｖｐを分圧抵抗Ｒ４，Ｒ５による分圧値から検出してスイッチング素子Ｓ１をオン、オフ制御し、電圧Ｖｐを所定値に維持するものである。
【００２７】
次に、図４は本発明の第４実施形態を示す回路図である。この実施形態では、フライホイーリングダイオードＤＦの両端にチョークコイルＬとツェナーダイオードＺＤとの直列回路が接続され、ツェナーダイオードＺＤの両端には平滑コンデンサＣ１，Ｃ２の直列回路（コンデンサ分圧回路）が接続されている。
そして、電流検出抵抗Ｒ３の端子電圧とコンデンサＣ１，Ｃ２による電圧分圧値とが演算処理部２１のＡ／Ｄ変換部２２に入力されており、平滑コンデンサＣ１，Ｃ２の直列回路の一端の電圧Ｖｐが演算処理部２１の電源電圧となっている。
【００２８】
この実施形態においても、スイッチング素子Ｓ１、フライホイーリングダイオードＤＦ、チョークコイルＬ、ツェナーダイオードＺＤ、平滑コンデンサＣ１，Ｃ２等が降圧チョッパを構成しており、スイッチング素子Ｓ１のオン、オフによって全波整流回路１１の出力電圧よりも低い電圧Ｖｐが演算処理部２１に電源電圧として供給される。
なお、この実施形態の動作は、電源電圧Ｖｐの監視、制御を図３のように抵抗分圧回路ではなくコンデンサ分圧回路によって行う点を除けば、基本的に図３の実施形態と同様であるため、詳述を省略する。
【００２９】
上記実施形態では、本発明を三相電路３０の保護に適用した場合を説明したが、単相電路の保護にも適用可能であることはいうまでもない。
【００３０】
【発明の効果】
以上述べたように本発明によれば、ワンチップマイコン等によって構成可能な演算処理部によって負荷電流及び平滑コンデンサの電圧（電源電圧）の読み込みを行い、それらの値に基づいて引き外し信号の生成やスイッチング素子のオン、オフによる電源電圧制御を行うものである。
このため、従来よりも回路構成の簡素化、部品数の減少、消費電力の低減が可能になり、変流器の小型化とも相まって装置全体の小型化、コストの低減を実現することができる。
【図面の簡単な説明】
【図１】本発明の第１実施形態を示す回路図である。
【図２】本発明の第２実施形態を示す回路図である。
【図３】本発明の第３実施形態を示す回路図である。
【図４】本発明の第４実施形態を示す回路図である。
【図５】本発明の第２実施形態の動作を示すフローチャートである。
【図６】従来技術を示す回路図である。
【符号の説明】
１１　全波整流回路
１４　引き外し回路
１５　トリップユニット
１６　開閉機構
２１　演算処理部
２２　Ａ／Ｄ変換部
３０　三相電路
３１　開閉接点
ＣＴ１，ＣＴ２，ＣＴ３　変流器
Ｒ１，Ｒ２，Ｒ３，Ｒ４，Ｒ５　抵抗
ＺＤ　ツェナーダイオード
Ｓ１，Ｓ２　スイッチング素子
Ｄ　ダイオード
ＤＦ　フライホイーリングダイオード
Ｃ，Ｃ１，Ｃ２　平滑コンデンサ
Ｌ　チョークコイル
【図１】
2004022259.tif 000003
【図２】
2004022259.tif 000004
【図３】
2004022259.tif 000005
【図４】
2004022259.tif 000006
【図５】
2004022259.tif 000007
【図６】
2004022259.tif 000008